(57)【要約】【課題】  蛍光灯の破損を防止することができ、作業者が一人でも蛍光灯を設置することができる蛍光灯連結ソケットを提供する。【解決手段】  蛍光灯の一側面を収容するために、一側面に第１挿入孔部が形成されるとともに他側面には所定の長さの段差部が形成された第１突出部が形成され、前記第１突出部の中心部には結合突起形成された第１ソケット部と；蛍光灯の一側面を収容するために、一側面に第２挿入孔部が形成されるとともに他側面には所定の長さの段差部が形成された第２突出部が形成され、前記第２突出部の中心部には前記第１ソケット部の結合突起が挿合されるように結合孔部が形成される第２ソケット部とを含んでなる。【選択図】  図２
2016001588.tif 000002
【特許請求の範囲】
【請求項１】
蛍光灯の一側面を収容するために、一側面に第１挿入孔部が形成されるとともに他側面には所定の長さの段差部が形成された第１突出部が形成され、前記第１突出部の中心部には結合突起形成された第１ソケット部と；
蛍光灯の一側面を収容するために、一側面に第２挿入孔部が形成されるとともに他側面には所定の長さの段差部が形成された第２突出部が形成され、前記第２突出部の中心部には前記第１ソケット部の結合突起が挿合されるように結合孔部が形成される第２ソケット部と；を含んでなることを特徴とする、蛍光灯連結ソケット。
【請求項２】
第１ソケット部の第１突出部に形成された段差部の外周面には弾性スプリングが嵌合されていることを特徴とする、請求項１に記載の蛍光灯連結ソケット。
【請求項３】
前記第１ソケット部の第１挿入孔部の内側と第２ソケット部の第２挿入孔部の内側の一側面に弾性スプリングが設置される密着部をさらに備えることを特徴とする、請求項１に記載の蛍光灯連結ソケット。
【請求項４】
前記第２ソケット部の結合孔部は水平方向のガイド溝部に形成されていることを特徴とする、請求項１に記載の蛍光灯連結ソケット。
【請求項５】
前記第２ソケット部の結合孔部は半円形溝部に形成され、前記溝部の一側端には係合溝が形成されていることを特徴とする、請求項１に記載の蛍光灯連結ソケット。
【請求項６】
前記第２ソケット部の第２挿入孔部の一側面中心部にはヒンジ孔が形成され、前記第１ソケット部の第１挿入孔部の一側面中心部には前記第２ソケット部のヒンジ孔に回転可能に挿入されるヒンジ軸が備えられていることを特徴とする、請求項１に記載の蛍光灯連結ソケット。
【請求項７】
前記第１ソケット部の段差部の一側端にはヒンジ孔が形成され、前記第２ソケット部の段差部の一側端には前記第１ソケット部のヒンジ孔と対応する回動孔が形成され、前記第１ソケット部のヒンジ孔と前記第２ソケット部の回動孔には互いに回動可能に連結されるようにピン部が挿入されていることを特徴とする、請求項１に記載の蛍光灯連結ソケット。
【請求項８】
前記第１ソケット部の第１挿入孔部の側面と前記第２ソケット部の第２挿入孔部の側面にはネジ孔が形成され、前記ネジ孔には蛍光灯を固定させることができる固定ボルトが備えられていることを特徴とする、請求項１に記載の蛍光灯連結ソケット。
【発明の詳細な説明】
【技術分野】
【０００１】
本発明は蛍光灯連結ソケットに係り、より詳しくは安全に蛍光灯を蛍光灯器具に連結するとか蛍光灯と蛍光灯を互いに連結して固定するようにした蛍光灯連結ソケットに関するものである。
【背景技術】
【０００２】
一般に、蛍光灯器具は、蛍光灯の点灯のために必要な部品が設置される基板と、この基板の両端に相互に対応して設置され、蛍光灯の両側電極に挿入連結されて固定できるようにする一対のソケットと、安定した放電を維持するようにする安定器と、前記ソケットを介して蛍光灯に供給される電源を必要によって断続するためのスイッチと、前記基板の両端に設置され、ソケット、安定器、スイッチなどをカバーして保護するカバーなどからなる。
【０００３】
このように、一般的な蛍光灯器具は、図１に示したように、蛍光灯２を点灯させるのに必要な多数の部品が装着される基板１０と、この基板１０の一側を覆うカバー２０と、前記基板１０から前記カバー２０の両端を貫いて相互に対向するように備えられ、蛍光灯２の両側電極２ａが結合接続されるソケット３０との連結構造からなり、前記カバー２０の面には、前記基板１０の一側と結合するように連結部材２２が貫く貫通孔２４が形成されており、前記基板１０の他側にはネジまたは釘で天井や壁面などの所望位置に固定させるための固定部材（図示せず）が備えられている。このような前記カバー２０の内側、つまり前記基板１０上には、必要によって蛍光灯２に供給される電源の供給を断続するためのスイッチと安定した放電を維持するための安定器が内部または両端にそれぞれ設置される。
【０００４】
前記のように、蛍光灯器具の蛍光灯を設置するとき、蛍光灯の両側端に形成されたダミーを蛍光灯器具の両側ソケットに挿入して締結している。
【０００５】
このように、蛍光灯を蛍光灯器具のソケットに連結するとき、作業者が蛍光灯を摘んで連結することになるが、発光部分が衝撃に弱いから、作業時に衝撃によって破損して作業者がけがをすることができる問題点がある。
【０００６】
また、蛍光灯の長さを約２４００ｍｍ程度にして蛍光灯器具に設置するとき、その長さがあまり長くて作業者が二人以上要求されて作業コストが増大する問題点があり、蛍光灯を運搬するとき、その長さが２４００ｍｍ程度に形成されるから、既存に１トン車両で運搬することができなくて特殊貨物車両によって運搬されるため、運送コストが増大する問題点がある。
【発明の概要】
【発明が解決しようとする課題】
【０００７】
前記のような従来の問題点を解決するために、本発明は、蛍光灯を蛍光灯器具に連結するとき、蛍光灯を摘むことができるように、蛍光灯の一側端にソケット部を挿合して蛍光灯器具に連結するので、蛍光灯の破損を防止することができ、蛍光灯器具が長形に形成されるとき、分割して蛍光灯を連結することができるので、作業者が一人でも蛍光灯を設置することができる蛍光灯連結ソケットを提供することにその目的がある。
【課題を解決するための手段】
【０００８】
前記目的を達成するための本発明は、蛍光灯の一側面を収容するために、一側面に第１挿入孔部が形成されるとともに他側面には所定の長さの段差部が形成された第１突出部が形成され、前記第１突出部の中心部には結合突起形成された第１ソケット部と；蛍光灯の一側面を収容するために、一側面に第２挿入孔部が形成されるとともに他側面には所定の長さの段差部が形成された第２突出部が形成され、前記第２突出部の中心部には前記第１ソケット部の結合突起が挿合されるように結合孔部が形成される第２ソケット部とを含んでなることを特徴とする。
【０００９】
第１ソケット部の第１突出部に形成された段差部の外周面には弾性スプリングが嵌合されることができる。
【００１０】
また、前記第１ソケット部の第１挿入孔部の内側と第２ソケット部の第２挿入孔部の内側の一側面に弾性スプリングが設置される密着部をさらに備えることができる。
【００１１】
また、前記第２ソケット部の結合孔部は水平方向のガイド溝部に形成されることができる。
【００１２】
また、前記第２ソケット部の結合孔部は半円形溝部に形成され、前記溝部の一側端には係合溝が形成されることができる。
【００１３】
また、前記第２ソケット部の第２挿入孔部の一側面中心部にはヒンジ孔が形成され、前記第１ソケット部の第１挿入孔部の一側面中心部には前記第２ソケット部のヒンジ孔に回転可能に挿入されるヒンジ軸が備えられることができる。
【００１４】
また、前記第１ソケット部の段差部の一側端にはヒンジ孔が形成され、前記第２ソケット部の段差部の一側端には前記第１ソケット部のヒンジ孔と対応する回動孔が形成され、前記第１ソケット部のヒンジ孔と前記第２ソケット部の回動孔には互いに回動可能に連結されるようにピン部が挿入されることができる。
【００１５】
また、前記第１ソケット部の第１挿入孔部の側面と前記第２ソケット部の第２挿入孔部の側面にはネジ孔が形成され、前記ネジ孔には蛍光灯を固定させることができる固定ボルトが備えられることができる。
【発明の効果】
【００１６】
前述したように、本発明の蛍光灯連結ソケットは、蛍光灯器具に蛍光灯を容易に設置することができ、長い蛍光灯器具に二つの蛍光灯を連結して設置することができるので、一人でも蛍光灯を設置することができる効果がある。
【００１７】
また、蛍光灯を蛍光灯器具に設置するとき、衝撃に弱い部分である蛍光灯を摘まないでソケット部を摘んで連結させることができるので、蛍光灯の破損を防止することができる効果がある。
【図面の簡単な説明】
【００１８】
【図１】一般的な蛍光灯器具を示した斜視図である。
【図２】本発明の蛍光灯連結ソケットを示した分解斜視図である。
【図３】本発明の蛍光灯連結ソケットを示した結合断面図である。
【図４】本発明の蛍光灯連結ソケットの使用状態を示した断面図である。
【図５】本発明の蛍光灯連結ソケットと蛍光灯器具の連結支持ブラケットの連結状態を示した断面図である。
【図６ａ】図５の他の実施例を示した断面図である。
【図６ｂ】図５のさらに他の実施例を示した断面図である。
【図７ａ】本発明の蛍光灯連結ソケットの他の実施例を示した斜視図である。
【図７ｂ】図７ａの実施例を示した断面図である。
【図７ｃ】図７ａの実施例を示した断面図である。
【図８ａ】本発明の蛍光灯連結ソケットのさらに他の実施例を示した斜視図である。
【図８ｂ】図８ａの実施例を示した断面図である。
【図９ａ】本発明の蛍光灯連結ソケットのさらに他の実施例を示した斜視図である。
【図９ｂ】図９ａの実施例を示した断面図である。
【図１０ａ】本発明の蛍光灯連結ソケットのさらに他の実施例を示した斜視図である。
【図１０ｂ】図１０ａの実施例を示した側面図である。
【発明を実施するための形態】
【００１９】
以下、添付図面に基づいて本発明の好適な実施例をより詳細に説明する。この説明に先立ち、本明細書及び請求範囲に使用された用語や単語は通常的または辞書的な意味に限定して解釈されてはいけなく、発明者は自分の発明を最良の方法で説明するために用語の概念を適切に定義することができるという原則に従って本発明の技術的思想に合う意味及び概念に解釈されなければならない。
【００２０】
したがって、本明細書に記載した実施例と図面に示した構成は本発明の最も好適な実施例に過ぎないだけで本発明の技術的思想を全部現すものではないので、本出願の時点でこれらを取り替えることができる多様な均等物と変形例があり得ることを理解しなければならない。
【００２１】
図２及び図３に示したように、本発明の蛍光灯連結ソケット１は、蛍光灯の一側面を収容するように一側面に第１挿入孔部１２が形成されるとともに他側面に所定の長さの段差部１４−２が形成された第１突出部１４が形成され、前記第１突出部１４の中心部に結合突起１４−４が形成された第１ソケット部１０と、蛍光灯の一側面を収容するように一側面に第２挿入孔部２２が形成されるとともに他側面に所定の長さの段差部２４−２が形成された第２突出部２４が形成され、前記第２突出部２４の中心部に前記第１ソケット部１０の結合突起１４−４が挿合されるように結合孔部２４−４が形成された第２ソケット部２０とからなった構造である。
【００２２】
このように、本発明の蛍光灯連結ソケット１は、蛍光灯器具が長く形成されるとき、図４に示したように、長形の蛍光灯を設置しなく、二つの蛍光灯が対応する両側端に本発明の第１ソケット部１０と第２ソケット部２０をそれぞれ設置して連結させ、蛍光灯器具に連結することにより、作業者が一人でも蛍光灯器具に設置することができ、このように長い蛍光灯を設置しないで分割形態に蛍光灯を設置することができるので、既存の長い蛍光灯に比べ、運搬及び設置の際に蛍光灯の破損を防止することができる効果がある。
【００２３】
前述したように、蛍光灯は両側面または一側面に形成される蛍光灯器具の電源ソケットを通じて電源を受けて発光する。
【００２４】
前記のように長形の蛍光灯器具に二つの蛍光灯を連結して設置するとき、蛍光灯を固定支持するために、図５に示したように、第１ソケット部１０の第１突出部１４に形成された段差部１４−２と第２ソケット部２０の第２突出部２４に形成された段差部２４−２とを蛍光灯器具に連結された連結支持ブラケット４０で支持することが好ましい。
【００２５】
このように、前記連結支持ブラケット４０によって二つの蛍光灯を支持固定することもできるが、図６ａに示したように、前記第１ソケット部１０の第１突出部１４に形成された段差部１４−２の外周面に弾性スプリング５０が嵌合されて前記第２ソケット部２０を押圧して支持することができる効果がある。
【００２６】
前記のように、前記第１ソケット部１０の第１突出部１４に形成された段差部１４−２の外周面に弾性スプリング５０が設置されて蛍光灯を支持することができるが、より一層蛍光灯を蛍光灯器具に設置し易くするために、図６ｂに示したように、前記第１ソケット部１０の第１挿入孔部１２の内側と第２ソケット部２０の第２挿入孔部２２の内側のいずれか一方に弾性スプリング６２が設置される密着部６０がさらに備えられることにより、蛍光灯を蛍光灯器具に設置するとき、一側方向に押し出して容易に蛍光灯を設置することができる効果がある。
【００２７】
このように、二つの蛍光灯を蛍光灯器具に設置するとき、本発明の蛍光灯連結ソケット１をより容易に連結するために、図７ａに示したように、前記第２ソケット部２０の結合孔部２４−４には水平方向のガイド溝部２４−６が形成され、前記第２ソケット部２０のガイド溝部２４−６に締結されるように前記第１ソケット部１０の結合突起１４−４が形成されることが好ましい。
【００２８】
すなわち、図７ｂ及び図７ｃに示したように、前記第２ソケット部２０のガイド溝部２４−６は断面“Ｔ”字形に形成され、これと対応する前記第１ソケット部１０の結合突起１４−４も断面“Ｔ”字形に形成される。
【００２９】
このように形成される前記第２ソケット部２０のガイド溝部２４−６に前記第１ソケット部１０の結合突起１４−４を押し入れて締結することができるので、より容易に前記第１ソケット部１０及び第２ソケット部２０を着脱することができる効果がある。
【００３０】
前記のように、前記第１ソケット部１０と第２ソケット部２０を締結するときに離脱を防止するために、図８ａ及び図８ｂに示したように、前記第２ソケット部２０の結合孔部２４−４は半円形溝部２４−７の形態に形成され、前記半円形溝部２４−７の一側端には係合溝２４−５が形成されるので、前記第１ソケット部１０の結合突起１４−４を回転させてから押し入れて前記係合溝２４−５に締結することにより、離脱防止及び容易な結合の効果がある。
【００３１】
このように、前記第２ソケット部２０に第１ソケット部１０を挿入して結合することができるが、蛍光灯をより容易に設置することができるように、図９ａに示したように、前記第２ソケット部２０の第２挿入孔部２２の一側面中心部にはヒンジ孔２４−９が形成され、前記第１ソケット部１０の第１挿入孔部１２の一側面中心部には前記第２ソケット部２０のヒンジ孔２４−９に挿入して回転するようにヒンジ軸１４−９が備えられることが好ましい。
【００３２】
すなわち、図９ｂに示したように、前記第２ソケット部２０のヒンジ孔２４−９に挿入されて回動する第１ソケット部１０が水平方向に回動することができるので、蛍光灯１００の設置及び分解が容易に行える効果がある。
【００３３】
このように、前記第１ソケット部１０と第２ソケット部２０を水平方向に回動させて蛍光灯を設置することもできるが、図１０ａに示したように、前記第１ソケット部１０の段差部１４−２の一側端にはヒンジ孔１４−８が形成され、前記第２ソケット部２０の段差部２４−２の一側端には前記第１ソケット部１０のヒンジ孔１４−８と対応する回動孔２４−８が形成され、前記第１ソケット部１０のヒンジ孔１４−８と第２ソケット部２０の回動孔２４−８には互いに回動可能に連結されるようにピン部７０が挿入される。したがって、図１０ｂに示したように、蛍光灯器具に蛍光灯１００を設置するとき、前記第１及び第２ソケット部１０、２０を上下に移動して蛍光灯１００を設置することができるので、蛍光灯の設置作業が一層便利な効果がある。
【００３４】
前述したように、本発明の蛍光灯連結ソケット１は、蛍光灯を第１ソケット部１０と第２ソケット部２０に連結するとき、蛍光灯の離脱を防止するために、前記第１ソケット部１０の第１挿入孔部１２の側面と前記第２ソケット部２０の第２挿入孔部２２の側面にネジ孔１２−１、２２−１が形成され、前記ネジ孔１２−１、２２−１には蛍光灯を固定させることができる固定ボルト３０が備えられることが好ましい。
【００３５】
このように、本発明の蛍光灯連結ソケットは、蛍光灯器具に蛍光灯を容易に設置することができ、長い蛍光灯器具に二つの蛍光灯を連結して設置することができるので、一人でも蛍光灯を設置することができる効果がある。
【００３６】
また、蛍光灯を蛍光灯器具に設置するとき、衝撃に弱い部分である蛍光灯を摘まないでソケット部を摘んで連結することができるので、蛍光灯の破損を防止することができる効果がある。
【産業上の利用可能性】
【００３７】
本発明は、安全に蛍光灯を蛍光灯器具に連結するとか蛍光灯と蛍光灯を互いに連結して固定するようにした蛍光灯連結ソケットに適用可能である。
【符号の説明】
【００３８】
１    蛍光灯連結ソケット
１０    第１ソケット部
１２    第１挿入孔部
１２−１    ネジ孔
１４    第１突出部
１４−２    段差部
１４−４    結合突起
１４−８    ヒンジ孔
１４−９    ヒンジ軸
２０    第２ソケット部
２２    第２挿入孔部
２２−１    ネジ孔
２４    第２突出部
２４−２    段差部
２４−４    結合孔部
２４−５    係合溝
２４−６    ガイド溝部
２４−７    半円形溝部
２４−８    回動孔
２４−９    ヒンジ孔
３０    固定ボルト
４０    連結支持ブラケット
５０    弾性スプリング
６０    密着部
６２    弾性スプリング
７０    ピン部
１００    蛍光灯
２００    蛍光灯器具
【図１】
2016001588.tif 000003
【図２】
2016001588.tif 000004
【図３】
2016001588.tif 000005
【図４】
2016001588.tif 000006
【図５】
2016001588.tif 000007
【図６ａ】
2016001588.tif 000008
【図６ｂ】
2016001588.tif 000009
【図７ａ】
2016001588.tif 000010
【図７ｂ】
2016001588.tif 000011
【図７ｃ】
2016001588.tif 000012
【図８ａ】
2016001588.tif 000013
【図８ｂ】
2016001588.tif 000014
【図９ａ】
2016001588.tif 000015
【図９ｂ】
2016001588.tif 000016
【図１０ａ】
2016001588.tif 000017
【図１０ｂ】
2016001588.tif 000018